(57)【要約】【課題】  本発明の課題は、冷房時でも、暖房時でも室内の温度分布が均一化され、室内の広い範囲で快適に過ごすことのできる空気調和機を提供することにある。【解決手段】  前記課題は、分離型空気調和機の壁掛形室内機において、横長の空気吹出し口と、給気又は循環用の副送風装置と、該空気吹出し口の中央部の上方に開口した該副送風装置の副気流を吹出す副吹出し口とを備え、該副吹出し口からの風向を下向きと、上向きに切換えることのできる切換装置を有することによって達成される。【選択図】  図３
2007113860.tif 000002
【特許請求の範囲】
【請求項１】
分離型空気調和機の壁掛形室内機において、横長の空気吹出し口と、給気又は循環用の副送風装置と、該空気吹出し口の中央部の上方に開口した該副送風装置の副気流を吹出す副吹出し口とを備え、該副吹出し口からの風向を下向きと、上向きに切換えることのできる切換装置を有することを特徴とする空気調和機。
【請求項２】
前記副吹出し口を上下に分割し、一方の副吹出し口の吹出し方向を下向きとし、他方の副吹出し口の吹出し方向を上向きとすると共に、該下向き副吹出し口と該上向き副吹出し口に各々連通する下向き副風路と上向き副風路を備え、前記副送風装置からの副気流を該下向き副風路と該上向き副風路の何れかに切換えて流す風路切換ダンパーを設けることを特徴とする請求項１記載の空気調和機。
【請求項３】
前記副吹出し口を上下に分割し、上側に設けた副吹出し口を前記下向き副吹出し口とし、下側に設けた副吹出し口を前記上向き副吹出し口とすることを特徴とする請求項２記載の空気調和機。
【請求項４】
前記風路切換ダンパーを電気的に駆動して風路を切換える制御装置を備え、該制御装置により前記空気調和機の暖房運転中に前記下向き副吹出し口から副気流を吹出し、該空気調和機の冷房運転中に前記上向き副吹出し口から副気流を吹出すように風路切換ダンパーを制御することを特徴とする請求項２記載の空気調和機。
【発明の詳細な説明】
【技術分野】
【０００１】
本発明は、空気調和機に係り、より詳細には、快適な空気調和を実現するための副空気吹出口を有する空気調和機に関する。
【背景技術】
【０００２】
一般に家庭用の空気調和機としては、その据付け時の簡便性や低騒音性、暖房効果等から、下吹出しの壁掛型の室内機が選択される例が多い。下吹出しの壁掛型の室内機は、壁の上部に設けられる。この壁掛型の室内機で暖房を行う場合、室内機は壁の上部から下方に温風を吹き出す。温風は、比重が小さく浮力を得るため、下方に向かう途中で上昇に転じる。従って、ただ温風を下方に吹き出しても効果的に室内の下方を暖めることは難しい。
【０００３】
これを解消するため、主送風機とは別の副送風機からの副気流で主空気吹出口からの温風を下方に抑え、床面に温風を届かせるようにして空気調和を行うものが有る。
【０００４】
この種の従来技術として、特開２００４−３４７８２号、特開平８−２８５３００号、実開昭６１−１１００１１号が知られている。
【０００５】
特許文献１はサブ吹出し口を主吹出し口の中央部直上に設け、ほぼ水平に吹出して、冷房時は主吹出し口からの下降し気味な冷風を水平方向に引き戻して、部屋の遠方まで到達させ、暖房時は主吹出し口からの上昇し気味な温風を抑えて、温風を床近辺に留まらせる空気調和機について述べている。
【０００６】
特許文献２は主送風機の左端に直結した副送風機からの副気流の冷風を主吹出し口の上方に設けた副吹出し口から吹出させることにより、暖房運転時に温風を下方に抑え、床面に温風を届かせる空気調和機について述べている。
【０００７】
特許文献３は空気吹出し部に空気通路を二分する、ファン装置を内蔵する回動自在な仕切装置を設け、暖房時に室温程度の吹出し流で温風を床面に送り、冷房時には冷風を上向きに送る空気調和機について述べている。
【０００８】
【特許文献１】特開２００４−３４７８２号公報
【特許文献２】特開平８−２８５３００号公報
【特許文献３】実開昭６１−１１００１１号公報
【発明の開示】
【発明が解決しようとする課題】
【０００９】
特許文献１ではサブ吹出し口の吹出し方向がほぼ水平方向に固定されているため、冷房時に冷風を遠方まで到達させる効果も、暖房時に温風の上昇を抑制する効果も十分とは言えない。
【００１０】
特許文献２では温風を下方に抑える効果を得るためにどのような副気流が好ましいのか全く検討されておらず、冷房運転時に関しては全く言及が無い。
【００１１】
特許文献３では冷房時に主ファン装置を通る冷風の一部を副ファン装置を通して副吹出し口に流すため、空気の流れが複雑になり異常音が発生しやすく、また、暖房時には主ファン装置の温風の全量を主吹出し口に流すため、主ファン装置、副ファン装置のケーシングの形状を夫々の最適形状にすることができず、送風効率が悪化し、騒音も大きくなる。更に、冷房時と暖房時で仕切装置を回動させているが、気流を遮るシール部がファン装置の横幅全長に亘るため、シール部が長く全体を一様にシールするのが困難となり、シールが不十分なところからの気流洩れが発生し、更に異常音を発生し易くしている。
【００１２】
本発明が解決しようとする第１の課題は、冷房時でも、暖房時でも室内の温度分布が均一化され、室内の広い範囲で快適に過ごすことができる空気調和機を提供することにある。
【００１３】
本発明が解決しようとする第２の課題は、風路切換ダンパーを操作するだけで、副気流の吹出し方向が冷房時では上向き、暖房時では下向きにすることができ、簡単な操作で冷房時でも、暖房時でも室内の温度分布が均一化され、室内の広い範囲で快適に過ごすことができる空気調和機を提供することにある。
【００１４】
本発明が解決しようとする第３の課題は、外面に現れる副吹出し口の大きさを小さくでき、意匠上の制約が小さい空気調和機を提供することにある。
【００１５】
本発明が解決しようとする第４の課題は、冷房、暖房の運転操作だけで自動的に風路切換ダンパーを切換えて、副気流の吹出し方向を冷房時では上向き、暖房時では下向きにすることができ、風路切換ダンパーの操作忘れによる空気調和の不具合を回避し、冷房時でも、暖房時でも室内の温度分布が均一化され、室内の広い範囲で快適に過ごすことができる空気調和機を提供することにある。
【課題を解決するための手段】
【００１６】
本発明が解決しようとする第１の課題は、分離型空気調和機の壁掛形室内機において、横長の空気吹出し口と、給気又は循環用の副送風装置と、該空気吹出し口の中央部の上方に開口した該副送風装置の副気流を吹出す副吹出し口とを備え、該副吹出し口からの風向を下向きと、上向きに切換えることのできる切換装置を有することにより達成される。
【００１７】
本発明が解決しようとする第２の課題は、前記副吹出し口を上下に分割し、一方の副吹出し口の吹出し方向を下向きとし、他方の副吹出し口の吹出し方向を上向きとすると共に、該上向き副吹出し口と該下向き副吹出し口に各々連通する上向き副風路と下向き副風路を備え、前記副送風装置からの副気流を該上向き副風路と該下向き副風路の何れかに切換えて流す風路切換ダンパーを設けることにより達成される。
【００１８】
本発明が解決しようとする第３の課題は、前記副吹出し口を上下に分割し、上側に設けた副吹出し口を前記下向き副吹出し口とし、下側に設けた副吹出し口を前記上向き副吹出し口とすることにより達成される。
【００１９】
本発明が解決しようとする第４の課題は、前記風路切換ダンパーを電気的に駆動して風路を切換える制御装置を備え、該制御装置により前記空気調和機の暖房運転中に前記下向き副吹出し口から副気流を吹出し、該空気調和機の冷房運転中に前記上向き副吹出し口から副気流を吹出すように風路切換ダンパーを制御することにより達成される。
【発明の効果】
【００２０】
請求項１記載の発明によれば、冷房時でも、暖房時でも室内の温度分布が均一化され、室内の広い範囲で快適に過ごすことができる空気調和機を提供することができる。
【００２１】
請求項２記載の発明によれば、風路切換ダンパーを操作するだけで、副気流の吹出し方向が冷房時では上向き、暖房時では下向きにすることができ、簡単な操作で冷房時でも、暖房時でも室内の温度分布が均一化され、室内の広い範囲で快適に過ごすことができる空気調和機を提供することができる。
【００２２】
請求項３記載の発明によれば、外面に現れる副吹出し口の大きさを小さくでき、意匠上の制約が小さく、自由な意匠の創作が図れる。
【００２３】
請求項４記載の発明によれば、冷房、暖房の運転操作だけで自動的に風路切換ダンパーを切換えて、副気流の吹出し方向を冷房時では上向き、暖房時では下向きにすることができ、風路切換ダンパーの操作忘れによる空気調和の不具合を回避し、冷房時でも、暖房時でも室内の温度分布が均一化され、室内の広い範囲で快適に過ごすことができる空気調和機を提供することができる。
【発明を実施するための最良の形態】
【００２４】
以下、本発明の空気調和機の一実施例について図を用いて説明する。
【００２５】
まず、空気調和機の全体構成を、図１〜５を用いて説明する。
【００２６】
図１は本発明に係る空気調和機の構成図、図２は図１の室内機の化粧枠を取り外した状態の外観図である。図３は図２のＢ−Ｂ断面図、図４は図２のＡ−Ａ断面図である。図５は副吹出し口、副風路を模式的に示す図である。
【００２７】
図１、図２において、符号１で総括的に示すのは空気調和機であり、室内機２と室外機６を接続配管８でつなぎ、室内を空気調和する。室内機２は筐体２１に室内熱交換器３３、送風ファン３１１、露受皿３５等を取付け、化粧枠２３で覆い、化粧枠２３の前面に前面パネル２５を取付けた構成になっている。化粧枠２３には室内空気を吸い込む空気吸込み口２７と、温湿度が調和された空気を吹き出す空気吹出し口２９とが上下に設けられている。
【００２８】
副吹出し口３０は化粧枠２３の下部に横長に設けられた空気吹出し口２９の中央部直上に開口し、後述する副送風装置からの副気流を室内に吹出すものであり、下向き副吹出し口３０２と上向き副吹出し口３０３とで構成される。
【００２９】
また、前面パネル２５の中央下部には運転状況を表示する表示部２５９−１と、別体のリモコン５からの赤外線の操作信号を受ける受光部２５９−２が配置されている。
【００３０】
筐体２１には送風ファン３１１、フィルター２３１、室内熱交換器３３、露受皿３５、上下風向板２９１、左右風向板２９５等の基本的な内部構造体が取付けられる。そして、筐体２１の内側に取付けられた送風ファン３１１等の基本的な内部構造体は、化粧枠２３を取付けることにより室内機２内に包含される。化粧枠２３は、上部両側に取付リブを形成し、該取付リブを筐体２１の前部に引っ掻けて、下部をネジ等により筐体２１に取付ける。
【００３１】
化粧枠２３の下面に形成される空気吹出し口２９は、前面パネル２５との分割部に隣接して配置され、奥の吹出し風路２９０に連通している。２枚の上下風向板２９１は閉鎖状態で吹出し風路２９０をほぼ隠蔽して、室内機２の底面に連続した大きな曲面を形成する。そして、上下風向板２９１は両端部に設けた回動軸を支点にして、リモコン５からの指示に応じて、図示しない駆動モータにより、空気調和機の運転時に所要の角度回動し空気吹出し口２９を開き、その状態を保持する。空気調和機の運転停止時には、空気吹出し口２９を閉じるように制御される。
【００３２】
また、左右風向板２９５は下端部に設けた回動軸を支点にして、図示しない駆動モータにより回動可能に構成され、リモコン５からの指示の応じて回動してその状態を保持し、吹出し空気を左右の所要の方向に吹出させる。なお、リモコン５から指示することにより、空気調和機の運転中に上下風向板２９１、左右風向板２９５を周期的に揺動させ、室内の広範囲に周期的に吹出し空気を送ることもできる。
【００３３】
フィルター２３１は室内熱交換器３３の吸込側を覆うように配置され、吸い込まれた室内空気中に含まれる塵埃を取り除くためのものである。送風ファン３１１は横長の貫流ファンで構成され、室内空気を空気吸込み口２７から吸い込んで空気吹出し口２９から吹き出すように室内機２内の中央に配置されている。室内熱交換器３３は送風ファン３１１の吸込側に配置され、略逆Ｖ字状に形成されている。
【００３４】
露受皿３５は室内熱交換器３３の前後両側の下端部下方に配置され、冷房運転時や除湿運転時に室内熱交換器３３に発生する凝縮水を受けるために設けられている。受けて集められた凝縮水はドレン配管３７を通して室外に排出される。これらによって、空調される室内空気を流す主風路が形成される。即ち、送風ファン３１１を運転することで、室内空気は空気吸込み口２７から吸い込まれ、フィルター２３１を介し、室内熱交換器３３にて熱交換された後、空気吹出し口２９から室内に吹き出される。
【００３５】
副送風装置３２は、室内機２内の一側部に配置される。具体的には、副送風装置３２は、送風ファン３１１用の送風モータ３１３と反対側部に組み込まれている。
【００３６】
副送風装置３２は、室内空気を吸い込む副送風装置吸込み口３２５を前部に有している。この副送風装置吸込み口３２５は、室内熱交換器３３と共用のフィルター２３１の後方に位置し、空気吸込み口２７から吸い込まれた室内空気がフィルター２３１を介して吸い込まれる。
【００３７】
副送風装置３２には副風路３８が接続され、その副風路３８には副吹出し口３０が設けられている。具体的には、副風路３８は空気吹出し口２９の上方で露受皿３５の前方に位置し、室内機２内の中央部まで横方向に延びている。
【００３８】
副風路３８は副風路３８の途中に設けた電気的に駆動される風路切換ダンパー３２９−３より上流側となる、冷房時、暖房時共に副気流が流れる共通副風路３８１と、風路切換ダンパー３２９−３より下流側となる、冷房時に副気流が流れる上向き副風路３８３と、暖房時に副気流が流れる下向き副風路３８２とから構成されている。
【００３９】
風路切換ダンパー３２９−３は図示しない制御装置により、冷房運転時には図５の（ａ）の位置になり、共通副風路３８１と上向き副風路３８３とを連通させ、暖房運転時には図５の（ｂ）の位置になり、共通副風路３８１と下向き副風路３８２とを連通させる。
【００４０】
上向き副風路３８３の下流端には上向き副吹出し口３０３が設けられ、副気流が上向き方向に吹出すように風路壁を傾斜して設ける等して気流を案内している。また、下向き副風路３８２の下流端には下向き副吹出し口３０２が設けられ、副気流が下向き方向に吹出すように風路壁を傾斜して設ける等して気流を案内している。
【００４１】
上下の副吹出し口３０２，３０３は空気吹出し口２９の中央上部に設けられている。このため、副送風装置３２から室内へ吹き出される空気は、共通副風路３８１を通り、風路切換ダンパー３２９−３で、下向き副風路３８２または上向き副風路３８３に導かれて下向き副吹出し口３０２または上向き副吹出し口３０３に達し、空気吹出し口２９の中央上部から室内に吹き出される。
【００４２】
副送風装置３２は、室内空気を室外に排気するとともに新鮮な室外空気を取り込む副送風装置給排気口３２７を後部に有している。そして、副送風装置給排気口３２７には換気風路３９が接続され、この換気風路３９が室内機２と室外機６を接続する接続配管８と一緒に家屋の配管穴を貫通して室外に引き出され、換気風路３９の先端が外気に開放され、接続配管８は室外機６に接続される。
【００４３】
次に、副送風装置３２による給気運転、排気運転および循環運転について図６および図７を参照しながら説明する。図６は図２に示した副送風装置の空気の流れを模式的に表す図、図７は図２に示した副送風装置の運転の状態を表す図である。
【００４４】
副送風装置３２には給気運転、排気運転および循環運転の３種類の運転モードと運転停止の状態がある。そして、それぞれの運転モードにおける風の流れ方向およびダンパーの開閉位置は図７に示す通りである。なお、運転停止の状態では当然であるが風は流れることなく、吸込み切換ダンパー３２９−１および吹出し切換ダンパー３２９−２はそれぞれ位置（ｂ）にあって、副送風装置吸込み口３２５及び副送風装置吹出し口３２６へ副送風装置給排気口３２７から室外空気が室内に侵入するのを防いでいる。
【００４５】
また、特に説明しないが、それぞれの運転モードの切り換えは、リモコンの操作部で行なうか、室内機２の操作部で行なう。また、図示しない制御装置からの指令により、周囲の環境条件や空気調和機の運転経過などに応じて自動的に運転モードを切り換えを行うこともできる。
【００４６】
副送風装置３２の運転は室内機２の冷暖房運転と併用して運転することもできれば、副送風装置３２単独で運転することもできる。さらに、副送風装置３２にタイマーを設けて一定時間運転後、自動的に運転を停止させることも可能である。
【００４７】
吸込み切換ダンパー３２９−１を操作することで、副送風装置吸込み口３２５から室内空気を吸い込む排気循環風路３２８−５、あるいは副送風装置給排気口３２７から室外空気を吸い込む給気風路３２８−２と副送風ファン吸込み口３２３を連通させる。
【００４８】
また、吹出し切換ダンパー３２９−２を操作することで、副送風装置吹出し口３２６から空気を室内へ吹き出す給気循環風路３２８−４、あるいは副送風装置給排気口３２７から室外へ空気を排気する給排気風路３２８−３と副送風ファン吹出し口３２４を連通させる。
【００４９】
このように、吸込み切換ダンパー３２９−１、吹出し切換ダンパー３２９−２を操作して副送風装置３２の運転モードを給気運転、排気運転および循環運転モードのいずれかに切り換えている。
【００５０】
即ち、給気運転では、吸込み切換ダンパー３２９−１が（ｂ）側にあって副送風装置吸込み口３２５を遮断し給気風路３２８−２を開放するので、給気風路３２８−２を通して室外空気が吸い込まれる。このとき、吹出し切換ダンパー３２９−２は（ａ）側にあるので給気循環風路３２８−４が開放され排気風路３２８−１を遮断するので、副送風ファン吹出し口３２４へ吹き出された室外空気は給気循環風路３２８−４に送風される。
【００５１】
送風された室外空気は副送風装置吹出し口３２６を通って副送風装置吹出し口３２６に接続された副風路３８に送風される。そして、本実施例の場合、副送風ファン３２１によって吸い込まれる室外空気は副送風装置給排気口３２７から吸い込まれ、副フィルター３２７−１の表面で空気中に含まれている塵埃を取り除かれ、給排気風路３２８−３を通った後に給気フィルター３２７−２の表面で空気中に含まれている塵埃とともに人体に有害な物質を取り除かれ、給気フィルター３２７−２の中を通過して給気風路３２８−２に導かれ、副送風ファン３２１に吸い込まれる。
【００５２】
次に、排気運転では、吸込み切換ダンパー３２９−１が（ａ）側にあって副送風装置吸込み口３２５を開放し給気風路３２８−２を遮断するので、副送風装置吸込み口３２５を通して室内空気が吸い込まれるが、吹出し切換ダンパー３２９−２は（ｂ）側にあるので、給気循環風路３２８−４が遮断され排気風路３２８−１が開放される。これによって、副送風ファン吹出し口３２４へ吹き出された室内空気は排気風路３２８−１に流れ、副フィルター３２７−１を通って副送風装置給排気口３２７から室外に排気される。
【００５３】
次に、循環運転では、吸込み切換ダンパー３２９−１が（ａ）側にあって副送風装置吸込み口３２５を開放して給気風路３２８−２を遮断するので、副送風装置吸込み口３２５を通して室内空気が吸い込まれ、吹出し切換ダンパー３２９−２が（ａ）側にあって給気循環風路３２８−４を開放して排気風路３２８−１を遮断するので、副送風ファン吹出し口３２４へ吹き出された室内空気は給気循環風路３２８−４に送風され、副送風装置吹出し口３２６を通って副送風装置吹出し口３２６に接続した副風路３８に送風される。
【００５４】
また、運転停止時には、吸込み切換ダンパー３２９−１および吹出し切換ダンパー３２９−２はともに（ｂ）側にあって給気風路３２８−２を通してあるいは排気風路３２８−１を通して室外空気が室内に侵入してしまうことを防いでいる。そのため、運転停止時に室外空気が給排気風路を通して侵入するのを防ぐための逆風防止用弁を設ける必要がない。
【００５５】
そして、副風路３８は副送風装置吹出し口３２６に接続されているので、副送風装置吹出し口３２６から吹き出した空気はそのまま副風路３８内に送風されることになる。副風路３８は露受皿３５（図３参照）の前面部に配置されていて、副風路３８の先端部は室内機２の空気吹出し口２９（図１参照）の概略中央上部にあって、副風路３８に送風された室内空気を副吹出し口３０（図２参照）から吹き出すようになっている。
【００５６】
次に、室内機２の冷暖房運転と副送風装置３２の運転モードを組み合わせた場合の効果について図８及び図９を参照しながら説明する。
【００５７】
図８は図１の室内機の冷房運転と副送風装置の循環運転あるいは給気運転を併用した場合の説明図、図９は図１の室内機の暖房運転と副送風装置の循環運転あるいは給気運転を併用した場合の説明図である。
【００５８】
図８において、室内機２を冷房運転し、副送風装置３２を循環運転あるいは給気運転した場合、副吹出し口３０から吹き出す空気は室内機２の空気吹出し口２９の概略中央上部から矢印Ａのように水平より上向きに吹き出る。一方、室内機２の冷房運転では、冷却された冷たい空気を空気吹出し口２９から矢印Ｂのように吹き出して、部屋の遠方まで冷風を送風して部屋全体を冷房する。
【００５９】
図８では冷房運転の冷風に副送風装置３２の循環運転あるいは給気運転の吹出し空気が加わるので、冷風の風量が増して室内を速やかに冷房することができるようになる。
【００６０】
このように、冷房運転時に副送風装置３２で給気または循環運転をすると、制御装置により風路切換ダンパー３２９−３が図５の（ａ）の位置になり、共通副風路３８１と上向き副風路３８３とが連通する。このため、副送風装置３２からの副気流は上向き副風路３８３を通って上向き副吹出し口３０３に達し、上向きの方向に上向き副吹出し口３０３から吹出す。なお、上向き副吹出し口３０３に上向きの気流案内板を設けると更に効果的に上向きの副気流を得ることができる。
【００６１】
これにより、冷房運転時に空気吹出し口２９の上下風向板２９１を水平または上向きにしても、主気流自体が冷風となっているため比重が重く、気流が下に沈み気味になるところを、上向き副吹出し口３０３からの上向きに吹出す副気流で主気流の上側を吸引して上方に引上げ、主気流をより上に向かわせて、在室者に直接冷風が当らないようにする。このため、在室者が過度の冷風に曝されることが無くなる。
【００６２】
また、図９において、室内機２を暖房運転し、副送風装置３２を循環運転あるいは給気運転した場合、副吹出し口３０から吹き出す空気は室内機２の空気吹出し口２９の概略中央上部から矢印Ａのように水平より下向に吹き出す。
【００６３】
一方、室内機２の暖房運転で加熱されて温かくなって空気吹出し口２９から吹き出されてくる温風は、比重が軽くなっているため絶えず部屋の上部へ向かって浮き上がろうとする傾向にある。そのため暖房運転の温風は空気吹出し口２９から矢印Ｂのように下方に向けて吹き出し、まず部屋の床面を温めて温風が部屋の上部へ向かって上昇するのを抑制しながら部屋の生活空間を暖房させる。
【００６４】
副吹出し口３０から吹き出す温風がない従来の場合には、空気吹出し口２９から吹き出した温風は温風の速度が遅くなるにしたがって、上昇をし始め、部屋の遠方まで温かい温風を到達させることができず、軽くて温かい空気を部屋の上部空間に滞留させていた。
【００６５】
しかし、本実施例の室内機２では、空気吹出し口２９の概略中央上部に設けた副吹出し口３０から水平より下向に矢印Ａのように副送風装置３２からの副気流を吹き出しているので、上昇しようとする温かい暖房運転の温風に蓋をするとともに、副吹出し口３０からの吹出し風で暖房運転の温風を矢印Ｂのように部屋の遠方まで誘導する。したがって、室内機２の暖房運転においても副送風装置３２の循環運転あるいは給気運転を併用することにより、より効果的な暖房運転を行なうことができる。
【００６６】
このように、暖房運転時に副送風装置３２で給気運転または循環運転をすると、図示しない制御装置により風路切換ダンパー３２９−３が図５の（ｂ）の位置になり、共通副風路３８１と下向き副風路３８２とが連通する。このため、副送風装置３２からの副気流は下向き副風路３８２を通って下向き副吹出し口３０２に達し、下向きの方向に下向き副吹出し口３０２から吹出す。なお、下向き副吹出し口３０２に下向きの気流案内板を設けると更に効果的に下向きの副気流を得ることができるのは冷房運転の場合と同様である。これにより、暖房運転時に空気吹出し口２９の上下風向板２９１を斜め下向きまたは下向きにしても、主気流自体が温風となっているため比重が軽く、気流が上に浮上がり気味になるところを、下向き副吹出し口３０２からの下向きに吹出す副気流で主気流の上側に蓋をして下方に押し下げ、主気流をより下に向かわせ、温度の低い床面を良く暖める。
【００６７】
このとき、空気調和機の室内機はインテリアの一部としてそのデザインが重要視されるため、副吹出し口が大きくなり過ぎるとデザイン的な処理が難しくなり、使用者に違和感を与える。このため副吹出し口の大きさは、室内機の外観意匠の創作にあたっては自由な創作が図れるよう、小さいのに越したことは無いが、小さ過ぎると吹出せる風量が吹出し騒音との関係で制限され、主気流を上方、または下方に誘引、誘導する効果が不十分になる。
【００６８】
これを避けるため、副吹出し口を上下に分割し、上側に設けた副吹出し口を下向き副吹出し口とし、下側に設けた副吹出し口を上向き副吹出し口とする。このようにすることにより、上側の副風路上面は吹出し口に向かって先下がりとなり風向を下向きに案内し、下側の副風路下面は吹出し口に向かって先上がりとなって風向を上向きに案内するようにできるので、副風路が吹出し口に向かって先すぼまりになり、外面に現れる副吹出し口の大きさを小さくでき、意匠上の制約が小さく、自由な意匠の創作が図れるようになる。
【００６９】
なお、室内機２の冷暖房運転をおこなわずに、副送風装置３２だけで循環運転、排気運転あるいは給気運転を単独におこなって、室内空気をゆるやかに循環させたり、室内の汚れた空気を排出したり、あるいは室外の新鮮な空気を取り込んで室内の空気をリフレッシュすることができる。
【００７０】
また、室内機２の露受皿３５の前部に副風路３８を設けて、副送風装置３２が吹き出す気流を室内機２の空気吹出し口２９の概略中央上部に設けた副吹出し口３０に誘導し、副吹出し口３０から吹き出させるようにしたことにより、冷房運転で吹き出す冷風を部屋の遠方まで到達させるとともに、暖房運転で吹き出す温風の上昇を抑えることができる。
【００７１】
尚、実施例では副吹出し口３０を上下に分割して上側に下向き副吹出し口３０２、下側に上向き副吹出し口３０３を設け、夫々に連通する下向き副風路３８２と上向き副風路３８３を設けている。この構成に従い、副気流を暖房時には上側に設けた下向き副吹出し口３０２から下向きに吹出し、冷房時には下側に設けた上向き副吹出し口３０３から上向きに吹出す場合について説明している。
【００７２】
しかし、本発明はこれに限定されるものではなく、図１０に示すように副吹出し口３０に副上下風向板３０８を設け、暖房運転、冷房運転に応じて電動又は手動で副上下風向板３０８を回動させて副気流を暖房運転時には下向きに吹出させ、また、冷房運転時には上向きに吹出させても同様の効果を得ることができる。
【００７３】
また、図１１に示すように、分割した副吹出し口の上側を上向き副吹出し口３０３、下側を下向き副吹出し口３０２とし、夫々に連通する上向き副風路３８３と下向き副風路３８２を設けても良い。この場合も実施例と同様に、冷房時は上向き副吹出し口３０３から副気流を上向きに吹出し、暖房時は下向き副吹出し口３０２から副気流を下向きに吹出して同様の効果を得ることができる。
【００７４】
また、実施例では副風路３８を途中から分割して下向き副風路３８２と上向き副風路３８３を設け、各々の下流端を上下に分割した下向き副吹出し口３０２と上向き副吹出し口３０３に夫々連通させ、また、各々の上流端を電気的に駆動される風路切換ダンパー３２９−３を介して共通副風路３８１に連通させると共に、風路切換ダンパー３２９−３を冷房運転、暖房運転に連動して自動的に切換え、冷房時には共通副風路３８１と上向き副風路３８３を連通させ、上向き副吹出し口３０３から上向きの副気流を吹出し、暖房時には共通副風路３８１と下向き副風路３８２を連通させ、下向き副吹出し口３０２から下向きの副気流を吹出す場合について説明している。
【００７５】
しかし、本発明はこのように副風路３８の途中に電気的に駆動される風路切換ダンパー３２９−３を設けた場合に限定されるものではなく、風路切換ダンパー３２９−３は手動のものでも、また、下向き副風路３８２、上向き副風路３８３を副送風装置３２まで延長し、風路切換ダンパー３２９−３を副送風装置３２に内蔵させても良く、同様の効果を得ることができる。
【００７６】
また、実施例では、送風モータ３１３を室内機２の右側に、副送風装置３２を左側に配置したが、それらを逆に配置しても同様の効果を得ることが可能である。また、室内機２を正面から見た場合の左右対象性が崩れるが、送風モータ３１３が配置される側に副送風装置３２を配置しても良い。
【００７７】
以上説明したように請求項１記載の発明によれば、分離型空気調和機の壁掛形室内機において、横長の空気吹出し口と、給気又は循環用の副送風装置と、該空気吹出し口の中央部の上方に開口した該副送風装置の副気流を吹出す副吹出し口とを備え、該副吹出し口からの風向を下向きと、上向きに切換えることのできる切換装置を有することにより、冷房運転時に空気吹出し口の上下風向板を水平または上向きにしても、主気流自体が冷風となっているため比重が重く、気流が下に沈み気味になるところを、風路切換ダンパーや副上下風向板等の切換装置により、副吹出し口から副気流を上向きに吹出すように切換え、主気流の上側を吸引して上方に引上げ、主気流をより上に向かわせて、在室者に直接冷風が当らないようにする。
【００７８】
これにより、在室者が過度の冷風に曝されることが無くなる。また、暖房運転時に空気吹出し口の上下風向板を斜め下向きまたは下向きにしても、主気流自体が温風となっているため比重が軽く、気流が上に浮上がり気味になるところを、風路切換ダンパーや副上下風向板等の切換装置により、副吹出し口から副気流を下向きに吹出すように切換え、主気流の上側に副気流で蓋をして下方に押し下げ、主気流をより下に向かわせ、温度の低い床面を良く暖める。
【００７９】
このため、冷房時でも、暖房時でも室内の温度分布が均一化され、室内の広い範囲で快適に過ごすことができる空気調和機を得ることができる。
【００８０】
また、請求項２記載の発明によれば、前記副吹出し口を上下に分割し、一方の副吹出し口の吹出し方向を下向きとし、他方の副吹出し口の吹出し方向を上向きとすると共に、該上向き副吹出し口と該下向き副吹出し口に各々連通する上向き副風路と下向き副風路を備え、前記副送風装置からの副気流を該上向き副風路と該下向き副風路の何れかに切換えて流す風路切換ダンパーを設けたことにより、冷房運転時に空気吹出し口の上下風向板を水平または上向きにしても、主気流自体が冷風となっているため比重が重く、気流が下に沈み気味になるところを、副送風装置からの副気流を風路切換ダンパーを切換えて、上向き副風路に流し、上向き副吹出し口から副気流を上向きに吹出して、主気流の上側を吸引し、上方に引上げ、主気流をより上に向かわせて、在室者に直接冷風が当らないようにする。
【００８１】
これにより、在室者が過度の冷風に曝されることが無くなる。また、暖房運転時に空気吹出し口の上下風向板を斜め下向きまたは下向きにしても、主気流自体が温風となっているため比重が軽く、気流が上に浮上がり気味になるところを、副送風装置からの副気流を風路切換ダンパーを切換えて、下向き副風路に流し、下向き副吹出し口から副気流を下向きに吹出して、主気流の上側に副気流で蓋をして下方に押し下げ、主気流をより下に向かわせ、温度の低い床面を良く暖める。
【００８２】
このため、風路切換ダンパーを操作するだけで、副気流の吹出し方向が冷房時では上向き、暖房時では下向きにすることができ、簡単な操作で冷房時でも、暖房時でも室内の温度分布が均一化され、室内の広い範囲で快適に過ごすことができる空気調和機を得ることができる。
【００８３】
また、請求項３記載の発明によれば、前記副吹出し口を上下に分割し、上側に設けた副吹出し口を前記下向き副吹出し口とし、下側に設けた副吹出し口を前記上向き副吹出し口とすることにより、上側の副風路上面を吹出し口に向かって先下がりにして副気流を下向きに案内し、下側の副風路下面を吹出し口に向かって先上がりにして副気流を上向きに案内するようにできるので、副風路が吹出し口に向かって先すぼまりになる。
【００８４】
このため、外面に現れる副吹出し口の大きさを小さくでき、自由度が高く創作性の大きい優れた意匠を実現する可能性が高い、意匠上の制約が小さい空気調和機を得ることができる。
【００８５】
また、請求項４記載の発明によれば、前記風路切換ダンパーを電気的に駆動して風路を切換える制御装置を備え、該制御装置により前記空気調和機の暖房運転中に前記下向き副吹出し口から副気流を吹出し、該空気調和機の冷房運転中に前記上向き副吹出し口から副気流を吹出すように風路切換ダンパーを制御することにより、冷房運転時に空気吹出し口の上下風向板を水平または上向きにしても、主気流自体が冷風となっているため比重が重く、気流が下に沈み気味になるところを、副送風装置からの副気流を制御装置により、風路切換ダンパーを電気的に駆動して切換え、上向き副風路に流し、上向き副吹出し口から副気流を上向きに吹出して、主気流の上側を吸引し、上方に引上げ、主気流をより上に向かわせて、在室者に直接冷風が当らないようにする。
【００８６】
これにより、在室者が過度の冷風に曝されることが無くなる。また、暖房運転時に空気吹出し口の上下風向板を斜め下向きまたは下向きにしても、主気流自体が温風となっているため比重が軽く、気流が上に浮上がり気味になるところを、副送風装置からの副気流を制御装置により、風路切換ダンパーを電気的に駆動して切換え、下向き副風路に流し、下向き副吹出し口から副気流を下向きに吹出して、主気流の上側に副気流で蓋をして下方に押し下げ、主気流をより下に向かわせ、温度の低い床面を良く暖める。
【００８７】
このため、冷房、暖房の運転操作だけで自動的に風路切換ダンパーを切換えて、副気流の吹出し方向を冷房時では上向き、暖房時では下向きにすることができ、風路切換ダンパーの操作忘れによる空気調和の不具合を回避し、冷房時でも、暖房時でも室内の温度分布が均一化され、室内の広い範囲で快適に過ごすことができる空気調和機を得ることができる。
【図面の簡単な説明】
【００８８】
【図１】本発明に係る空気調和機の構成図。
【図２】図１の室内機の化粧枠を取り外した状態の外観図。
【図３】図２のＢ−Ｂ断面図。
【図４】図２のＡ−Ａ断面図。
【図５】副吹出し口、副風路を模式的に示す図。
【図６】図２に示した副送風装置の空気の流れを模式的に表す図。
【図７】図２に示した副送風装置の運転の状態を表す図。
【図８】図１の室内機の冷房運転と副送風装置の循環運転あるいは給気運転とを併用した場合の説明図。
【図９】図１の室内機の暖房運転と副送風装置の循環運転あるいは給気運転とを併用した場合の説明図。
【図１０】副上下風向板を備えた副吹出し口、副風路を模式的に示す図。
【図１１】副吹出し口、副風路の他の構成を模式的に示す図。
【符号の説明】
【００８９】
１…空気調和機、２…室内機、５…リモコン、６…室外機、８…接続配管、２１…筐体、２３…化粧枠、２５…前面パネル、２７…空気吸込み口、２９…空気吹出し口、３０…副吹出し口、３１…送風装置、３２…副送風装置、３３…室内熱交換器、３５…露受皿、３７…ドレン配管、３８…副風路、３９…換気風路、２３１…フィルター、２５９−１…表示部、２５９−２…受光部、２９０…吹出し風路、２９１…上下風向板、３０２…下向き副吹出し口、３０３…上向き副吹出し口、３０８…副上下風向板、３１１…送風ファン、３１３…送風モータ、３２１…副送風ファン、３２３…副送風ファン吸込み口、３２４…副送風ファン吹出し口、３２５…副送風装置吸込み口、３２６…副送風装置吹出し口、３２７…副送風装置給排気口、３２７−１…副フィルター、３２７−２…給気フィルター、３２８−１…排気風路、３２８−２…給気風路、３２８−３…給排気風路、３２８−４…給気循環風路、３２８−５…排気循環風路、３２９−１…吸込み切換ダンパー、３２９−２…吹出し切換ダンパー、３２９−３…風路切換ダンパー、３８１…共通副風路、３８２…下向き副風路、３８３…上向き副風路。
【図１】
2007113860.tif 000003
【図２】
2007113860.tif 000004
【図３】
2007113860.tif 000005
【図４】
2007113860.tif 000006
【図５】
2007113860.tif 000007
【図６】
2007113860.tif 000008
【図７】
2007113860.tif 000009
【図８】
2007113860.tif 000010
【図９】
2007113860.tif 000011
【図１０】
2007113860.tif 000012
【図１１】
2007113860.tif 000013